(57)【要約】【課題】部品増加と導電パターンを長くすることなく出力電流に応じた電圧降下を生成して電流モニタを可能とするる。【解決手段】直流安定化電源回路の出力電流Ｉを引き出すために回路基板２上に配置される端子台１であり、一端に第１リード３ａを形成すると共に他端に信号線５を接続ビス４で接続した端子接続部に続いて第２リード３ｂを形成した引出し導電部３を有し、引出し導電部３の第１リード３ａと第２リード３ｂの回路基板２への接続により基板実装回路の電流検出抵抗を構成する。【選択図】          図１
2004319612.tif 000002
【特許請求の範囲】
【請求項１】
直流安定化電源回路の出力電流を引き出すために回路基板上に配置される端子台に於いて、
一端に第１リードを形成すると共に他端に端子接続部に続いて第２リードを形成した引出し導電部を有し、前記引出し導電部の第１リードと第２リードの回路基板への接続により基板実装回路の電流検出抵抗を構成したことを特徴とする端子台。
【発明の詳細な説明】
【０００１】
【発明の属する技術分野】
本発明は、直流安定化電源回路の端子台に関し、特に出力電流に比例した電圧信号を生成する部材を備えた端子台に関する。
【０００２】
【従来の技術】
従来、この種の直流安定化電源回路の端子台構造としては、例えば、図３に示すものがある。図３において、端子台１０１は直流安定化電源回路を実装した回路基板１０２の端部上に配置され、回路基板１０２に形成された出力ラインの導電パターン１０６に対し、端子台１０１に設けている引出し導電部１０３の一端に形成したリード１０３ａを接続し、引出し導電部１０３の反対側は端子台１０１に組み込まれ、ここに接続ビス１０４によって信号線１０５にカシメ固定した端子金具１０５ａを接続固定している。
【０００３】
ところで、このような直流安定化電源回路にあっては、過電流保護や並列運転時の電流バランス制御を行うために、出力電流Ｉに比例した電圧を検出する数オーム程度と微少な抵抗値の電流検出抵抗１０７を導電パターン１０６の間に接続し、電流検出抵抗の両端から電圧Ｖを検出して制御するようにしている。
【０００４】
また図４に示すように、電流検出抵抗の代わりに、回路基板１０２における出力ラインの導電パターン１０６の部分に抵抗用導電パターン１０６ａを設け、抵抗用導電パターン１０６ａの出力電流Ｉが流れた際の抵抗成分による電圧降下Ｖを検出して過電流保護や並列運転時の電流バランス制御を行うようにしている。
【０００５】
【発明が解決しようとする課題】
しかしながら、このような従来の出力電流を検出する方法にあっては、次の問題がある。まず図３は電流検出抵抗１０７を実装しているため、実装部品による部品の増加やそれによる部材費、生産工賃の増加や小型化が妨げられる。また図４は部品実装による問題は解消できるが、導電パターンによって必要とする電圧降下を得るためには、必要以上に導電パターンを長くする必要があり、回路基板の小型化が妨げられる。
【０００６】
本発明は、部品増加と導電パターンを長くすることなく出力電流に応じた電圧降下を生成して電流モニタを可能とする構造をもつ直流安定化電源回路の端子台を提供することを目的とする。
【０００７】
【課題を解決するための手段】
この目的を達成するため本発明は次のように構成する。本発明は、直流安定化電源回路の出力電流を引き出すために回路基板上に配置される端子台に於いて、一端に第１リードを形成すると共に他端に端子接続部に続いて第２リードを形成した引出し導電部を有し、引出し導電部の第１リードと第２リードの回路基板への接続により基板実装回路の電流検出抵抗を構成したことを特徴とする。
【０００８】
このように本発明にあっては、端子台に設けている引出し導電部の両端を回路基板に接続することによって、実装回路の電流検出抵抗を構成することができ、電流検出抵抗を必要としないことから部品の増加はなく、また導電パターンを電流検出抵抗とした場合のように導電パターンを長くする必要もなく、簡潔な構造で電流検出用の電圧信号源を端子台の引出し導電部の電圧降下で得ることができる。
【０００９】
【発明の実施の形態】
図１は本発明による端子台の実施形態を示した説明図である。図１において、端子台１は直流安定化電源回路を実装した回路基板２の端部上に配置され、引出し導電部３を備えている。引出し導電部３は打ち抜き加工などにより形成された導電性の金属プレートであり、一端を下方に屈曲して第１リード３ａを形成すると共に、他端を下方に屈曲して端子接続用のビス穴に続いて第２リード３ａを形成している。
【００１０】
引出し導電部３の第１リード３ａは回路基板２に実装されている回路における出力ラインの導体パターン６に接続され、また第２リード３ｂは端子台１の位置で回路基板２の別の導体パターンに接続され、基板実装回路の電流検出抵抗を構成している。
【００１１】
端子台１に位置する引出し導電部３に対しては、信号線５がその先端にカシメ固定した端子金具５ａを接続ビス４により固定接続されている。
【００１２】
このような本発明の端子台１の構造によれば、例えば信号線５から端子台１の引出し導電部３を通って導体パターン７に電流Ｉが流れると、引出し導電部３の抵抗成分をＲとすると、そのリード端子３ａ，３ｂ間に、
Ｖ＝Ｉ／Ｒ
となる電圧Ｖが発生し、引出し導電部３は出力電流検出用の電圧信号源を構成する。
【００１３】
ここで引出し導電部３は出力電流検出用の抵抗を構成しており、電気的に抵抗値を安定させて耐久性を確保する場合があり、そのため引出し導電部３に対しては絶縁塗料等の塗布といった絶縁処理を施すことがある。
【００１４】
図２は、本発明の端子台１が用いられた直流安定化電源回路の回路ブロック図である。
【００１５】
図２において、入力端子７ａ，７ｂ間に印加された入力電圧Ｖｉはスイッチングレギュレータ８で所定の出力電圧Ｖｏに安定化され、端子台１の出力端子１ａ，１ｂから負荷１２に供給されている。端子台１には引出し導電部３が抵抗Ｒとして出力端子１ａからの出力ラインに挿入されており、負荷１２に流れる電流Ｉにより両端に電圧降下Ｖを発生している。
【００１６】
この引出し導電部３により発生した電圧Ｖはスイッチングレギュレータ８に内蔵されている例えば過電流制御回路に電流検出電圧として入力され、負荷１２の短絡などによって過大な出力電流が流れると、出力電流Ｉを抑制カットする過電流保護動作が行われる。
【００１７】
また複数の電源装置を負荷に並列接続した場合にあっては、端子台２の引出し導電部３により構成される電流検出抵抗による電流検出電圧Ｖを、スイッチングレギュレータ８に内蔵されている電流バランス制御回路に入力して制御することになる。
【００１８】
【発明の効果】
以上説明したように本発明によれば、端子台に設けている引出し導電部の両端を回路基板に接続することによって、実装回路の電流検出抵抗を構成することができ、電流検出抵抗を必要としないことから実装部品の増加はなく、また導電パターンを電流検出抵抗とした場合のように導電パターンを長くする必要もなく、簡潔な構造で電流検出用の電圧信号源を端子台の引出し導電部の電圧降下で得ることができる。
【図面の簡単な説明】
【図１】本発明による端子台の実施形態を示した説明図
【図２】本発明の端子台による電流検出抵抗を過電流保護に用いた直流安定化電源回路の回路ブロック図
【図３】電流検出抵抗を実装する従来の端子台と回路基板の説明図
【図４】電流検抵抗を導体パターンに変えた従来の端子台と回路基板の説明図
【符号の説明】
１：端子台
２：回路基板
３：引出し導電部
３ａ：第１リード
３ｂ：第２リード
４：接続ビス
５：信号線
５ａ：端子金具
６：導電パターン
７ａ，７ｂ：入力端子
８：スイッチングレギュレータ
【図１】
2004319612.tif 000003
【図２】
2004319612.tif 000004
【図３】
2004319612.tif 000005
【図４】
2004319612.tif 000006